(57)【要約】【課題】建物の壁部に対する取り付けを好適に実施できる充電ケーブル保持器具及び給電設備を提供する。【解決手段】建物１０の外壁１３には、充電ケーブル２５を介して車載バッテリに対して充電用の電力を供給する給電設備１４が設けられている。給電設備１４は、給電口を有する本体部３１と、充電ケーブル２５が巻き付けられるケーブルホルダ３２と、ケーブルホルダ３２を外壁１３に引掛け保持する取付ベース３３とを有する。本体部３１には、その本体部３１から下方に延びる電力配線１５が接続されている。ケーブルホルダ３２と外壁１３との間には、取付ベース３３によって空きスペースＳが形成されている。【選択図】      図２
2014150629.tif 000002
【特許請求の範囲】
【請求項１】
建物において、車両の駐車スペースの隣になる壁部に取り付けられ、一端が車載バッテリに接続され、かつ他端が前記壁部に設けられた給電手段に接続される充電ケーブルを壁面上に保持する充電ケーブル保持器具であって、
前記充電ケーブルの少なくとも一部を保持するケーブル保持部と、
前記ケーブル保持部よりも前記壁部側に設けられ、それらケーブル保持部と壁部との間に空きスペースを形成する台座部と、
を備えることを特徴とする充電ケーブル保持器具。
【請求項２】
前記台座部は、前記壁部に対する取付部となる複数の脚部を有し、それら各脚部は互いに離間して設けられ、前記複数の脚部により前記ケーブル保持部と前記壁部との間に前記空きスペースが形成されていることを特徴とする請求項１に記載の充電ケーブル保持器具。
【請求項３】
前記複数の脚部は、前記壁部の面方向において左右に互いに離れている脚部と、上下に互いに離れている脚部とを含んで構成されていることを特徴とする請求項２に記載の充電ケーブル保持器具。
【請求項４】
前記充電ケーブルは、前記給電手段に対して接続及び接続解除が可能であり、
前記台座部は、前記複数の脚部と、その複数の脚部により支持され前記空きスペースを隔てて前記壁部に対向する対向部とを有し、
前記ケーブル保持部は、前記充電ケーブルを保持した状態で、前記台座部の前記対向部に対して装着及び離脱が可能になっていることを特徴とする請求項２又は３に記載の充電ケーブル保持器具。
【請求項５】
前記複数の脚部は、上下に互いに離間して設けられる脚部を有し、それらの脚部の長さが相違しており、
前記ケーブル保持部は上下方向のいずれかに傾いた状態となっていることを特徴とする請求項２乃至４のいずれか一項に記載の充電ケーブル保持器具。
【請求項６】
前記ケーブル保持部には、前記充電ケーブルが巻付けられる巻付け部が一体的に設けられていることを特徴とする請求項１乃至５のいずれか一項に記載の充電ケーブル保持器具。
【請求項７】
請求項１乃至６のいずれか一項に記載の充電ケーブル保持器具を備える建物の給電設備であり、
前記壁部の壁面上には、前記給電手段としての本体部と、該本体部から下方に延び、建物側の配電手段から前記本体部に電力を供給する電気配線とが固定されており、
前記充電ケーブル保持器具は、前記本体部の下方において前記電気配線に重複する位置に設けられていることを特徴とする建物の給電設備。
【発明の詳細な説明】
【技術分野】
【０００１】
本発明は、充電ケーブル保持器具及び建物の給電設備に関するものである。
【背景技術】
【０００２】
近年、電気自動車やハイブリッド自動車の普及が進んでおり、これらの自動車について住宅等の建物側から電力を供給して車載バッテリを充電する技術が各種提案されている。その１つとして、建物の外壁に給電設備を取り付けておくことが考えられている。具体的には、建物の外壁に充電ケーブルを例えば巻付け状態で取り付けることが可能な構成とし、必要に応じて巻付けをほどいて充電ケーブルを使用する。
【０００３】
なお、建物の外壁の上にて充電ケーブルを保持する技術としては例えば特許文献１が知られている。この特許文献１では、家屋壁面等にケーブルホルダを固定しておくとともに、充電ケーブルに一体に施錠用ブロック部を設けておき、施錠手段によって、施錠用ブロック部をケーブルホルダに脱離不能に連結する構成が開示されている。
【先行技術文献】
【特許文献】
【０００４】
【特許文献１】特開２０１０−１６１８８６号公報
【発明の概要】
【発明が解決しようとする課題】
【０００５】
しかしながら、建物の外壁には、露出した状態で電気配線（保護管としてのフレキシブルチューブを含む）が取り付けられることがあると想定され、かかる場合には、充電ケーブル保持器具を取り付ける上で電気配線が邪魔になり、電気配線を避けての充電ケーブル保持器具の取り付けが強いられる等の不都合が生じる。つまり、電気配線の取り付け及び充電ケーブル保持器具の取り付けのいずれかに制約が生じることとなる。例えば、住宅の購入後に電気自動車やプラグインハイブリッド自動車が購入される場合には、その自動車購入の時点でリフォームにより給電設備が設置されることが考えられる。そしてかかる場合には、施工の都合などから、建物の外壁に電気配線が露出した状態で取り付けられることが考えられる。したがって、上記のとおり電気配線や充電ケーブル保持器具の取り付けに制約が生じることが考えられる。
【０００６】
本発明は、上記事情に鑑みてなされたものであり、建物の壁部に対する取り付けを好適に実施できる充電ケーブル保持器具及び給電設備を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明は、
建物において、車両の駐車スペース（Ｐ）の隣になる壁部（１３）に取り付けられ、一端が車載バッテリ（２１）に接続され、かつ他端が前記壁部に設けられた給電手段（３１）に接続される充電ケーブル（２５）を壁面上に保持する充電ケーブル保持器具であって、
前記充電ケーブルの少なくとも一部を保持するケーブル保持部（３２）と、
前記ケーブル保持部よりも前記壁部側に設けられ、それらケーブル保持部と壁部との間に空きスペース（Ｓ）を形成する台座部（３３）と、
を備えることを特徴とする。
【０００９】
上記構成によれば、ケーブル保持部よりも壁部側には、台座部によってケーブル保持部と壁部との間に空きスペースが形成されているため、その空きスペースを、壁面上に設けられた電気配線の設置スペースとして利用できる。そのため、例えば建物の外壁に車両充電用の給電機器を後付けする場合（建物購入後に後付けする場合）に、電気配線が壁面上に露出（実際には保護管が露出）して設けられるとしても、その露出配線との干渉（電気配線が邪魔になること）を避けつつ、給電機器の設置が可能となる。したがって、建物の壁部に対する取り付けを好適に実施できる充電ケーブル保持器具を実現できる。
【００１０】
第２の発明は、前記台座部は、前記壁部に対する取付部となる複数の脚部（５２）を有し、それら各脚部は互いに離間して設けられ、前記複数の脚部により前記ケーブル保持部と前記壁部との間に前記空きスペースが形成されていることを特徴とする。
【００１１】
上記構成によれば、複数の脚部は互いに離間して設けられており、その離間スペースを、電気配線を通すためのスペースとして利用できる。この場合、ケーブル保持部は、脚部により壁面に対して浮いた状態で取り付けられることになり、例えば壁面を伝って雨水等が流下する場合に、その雨水（壁面の汚れと一緒に流れる雨水）によりケーブル保持部や台座部が汚れるといった不都合を抑制できる。
【００１２】
第３の発明は、前記複数の脚部は、前記壁部の面方向において左右に互いに離れている脚部と、上下に互いに離れている脚部とを含んで構成されていることを特徴とする。
【００１３】
上記構成によれば、台座部における複数の脚部は、左右に並んで２つ以上、及び上下に並んで２つ以上の脚部よりなり、それらは互いに離間して設けられている。したがって、ケーブル保持部の背後（壁部側）の空きスペースに電気配線が設けられる場合に、その電気配線を左右の脚部の間、及び上下の脚部の間のいずれにも通すことができる。これにより、電気配線が一直線に設けられる以外に、途中で折り曲げられて設けられる場合にも、その電気配線に重なるようにして充電ケーブル保持器具を取り付けることができる。
【００１４】
第４の発明は、前記充電ケーブルは、前記給電手段に対して接続及び接続解除が可能であり、前記台座部は、前記複数の脚部と、その複数の脚部により支持され前記空きスペースを隔てて前記壁部に対向する対向部（５１）とを有し、前記ケーブル保持部は、前記充電ケーブルを保持した状態で、前記台座部の前記対向部に対して装着及び離脱が可能になっていることを特徴とする。
【００１５】
上記構成では、充電ケーブルが建物側の給電手段から接続解除できる構成になっているため、充電ケーブルの持ち運びが可能であり、例えば出先での車両充電が可能になっている。また、上記構成では、ケーブル保持部が、ケーブル保持状態のまま台座部から離脱可能であり、充電ケーブルをコンパクトにまとめた状態での持ち運びが可能になっている。この場合特に、台座部によってケーブル保持部が壁面から離間されており、ケーブル保持部を台座部に取り付けたり台座部から取り外したりする場合に、ケーブル保持部が壁面に当たったりすることを抑制でき、ユーザにとって使い勝手の良い構成を実現できる。
【００１６】
第５の発明は、前記複数の脚部は、上下に互いに離間して設けられる脚部を有し、それらの脚部の長さが各々相違しており、前記ケーブル保持部は上下方向のいずれかに傾いた状態となっていることを特徴とする。
【００１７】
ケーブル保持部が上下方向のいずれかに傾いた状態となっているため、壁取り付け式となっているケーブル保持部についての作業性の改善を図ることができる。例えば、充電ケーブル保持器具がユーザ（大人の人）の腰〜胸の高さ付近に設けられることを想定する場合、ケーブル保持部が斜め上方を向いて取り付けられていることで、ケーブル保持部の装着などの作業を行いやすくすることができる。
【００１８】
第６の発明は、前記ケーブル保持部には、前記充電ケーブルが巻付けられる巻付け部（４５）が一体的に設けられていることを特徴とする。
【００１９】
ケーブル保持部に、ケーブル巻付け用の巻付け部が設けられている構成では、そのケーブル保持部が台座部によって壁面から離れた位置となっていることから、巻付け部から充電ケーブルを取り外したり巻付け部に対して充電ケーブルを巻き付けたりする場合に、充電ケーブルが壁面に当たったりすることを抑制でき、ユーザにとって作業のしやすい構成を実現できる。したがって、充電ケーブルの使い勝手が良くなる充電ケーブル保持器具を実現できる。
【００２０】
第７の発明は、上記の充電ケーブル保持器具を備える建物の給電設備（１４）であり、前記壁部の壁面上には、前記給電手段としての本体部（３１）と、該本体部から下方に延び、建物側の配電手段（１２）から前記本体部に電力を供給する電気配線（１５）とが固定されており、前記充電ケーブル保持器具は、前記本体部の下方において前記電気配線に重複する位置に設けられていることを特徴とする。
【００２１】
上記構成では、建物の壁部において、給電手段としての本体部と電気配線とが鉛直方向の上下に配置され、本体部の下方において電気配線に重複する位置に充電ケーブル保持器具が設けられている。この場合、本体部の下方に、電気配線とケーブル保持部とがそれぞれ設けられることになり、雨水等に対する防水性を確保する上で好適な構成となっている。つまり、本体部に対して電気配線や充電ケーブルが接続される場合には、その接続部分における浸水の懸念（壁面を伝っての雨水浸入の懸念）が生じるが、上記構成によれば、本体部の下面側に電気配線や充電ケーブルを接続することができるため、それらの接続部分における雨水浸入が生じにくい構成を実現できる。
【図面の簡単な説明】
【００２２】
【図１】建物における給電システムの構成を示す概略図。
【図２】給電設備の全体構成を示す斜視図。
【図３】給電設備の壁取付状態を示す縦断面図。
【図４】ケーブルホルダと充電ケーブルとを簡略化して示す構成図。
【図５】取付ベースの構成を示す斜視図。
【図６】車両充電時における設備使用状態を説明するための図。
【図７】電力配線と取付ベースとの位置関係を示す正面図。
【図８】取付ベースの別の構成を示す図。
【図９】取付ベースの別の構成を示す図。
【発明を実施するための形態】
【００２３】
以下、本発明を具体化した一実施形態を図面に基づいて説明する。本実施形態は、住宅として用いられる建物の給電システムを具体化するものであり、その給電システムでは、建物側から自動車への電力供給を可能とし、その電力供給により車載バッテリを充電するものとなっている。図１は、建物１０における給電システムの構成を示す概略図である。
【００２４】
図１において、建物１０には、図示しない電柱等から送電線１１を介してＡＣ１００Ｖ／２００Ｖの商用電力が供給される。送電線１１には分電盤１２が接続されている。分電盤１２は、建物１０内に設けられた複数の電流経路に対して選択的に電力を供給する周知の分電機能に加え、車両充電用の電力を供給する充電電力供給機能を有している。建物１０の外壁１３には、車両充電に用いる給電設備１４が取り付けられており、この給電設備１４には、電力配線１５を介して分電盤１２が接続されている。分電盤１２から給電設備１４に対しては電力配線１５を介して車両充電用の電力が供給される。電力配線１５は、実際には保護管としてのフレキシブルチューブに収容された状態で外壁１３に取り付けられている。
【００２５】
建物１０の側方には駐車スペースＰが設けられており、その駐車スペースＰに自動車２０が駐車されている。自動車２０は、例えば走行動力源としてエンジンとモータとを有するハイブリッド自動車であり、車両走行時等には走行用モータへの電力供給を要することから比較的大容量のバッテリ２１が搭載されている。自動車２０としては、ハイブリッド自動車以外に、やはり比較的大容量のバッテリを有する電気自動車であることも想定できる。自動車２０には、外部電源からの充電を可能とする充電インレット２２が設けられている。充電インレット２２はバッテリ２１に電気的に接続されており、充電インレットを２２を介して外部電源によりバッテリ２１が充電されるようになっている。
【００２６】
建物１０側の給電設備１４と自動車２０側の充電インレット２２とは充電ケーブル２５により互いに接続される。充電ケーブル２５は、着脱可能なプラグ２６，２７を両端にそれぞれ有しており、一方は建物側プラグ２６，他方は車両側プラグ２７となっている。この場合、給電設備１４は、建物１０において駐車スペースＰの隣になる壁部に取り付けられており、充電ケーブル２５としては数メートル程度の長さを有する電気ケーブルが用いられる。
【００２７】
次に、建物１０側の給電設備１４について詳しく説明する。図２は、給電設備１４の全体構成を示す斜視図であり、図３は、給電設備１４の壁取付状態を示す縦断面図である。なお、図３では充電ケーブル２５の図示を省略している。符号Ｂは基礎である。
【００２８】
給電設備１４は、大別して、充電ケーブル２５の建物側プラグ２６が接続される給電口を有する本体部３１と、充電ケーブル２５が巻き付け状態で一体化されているケーブルホルダ３２と、ケーブルホルダ３２を外壁１３の外側に引掛け保持する取付ベース３３とを有している。このうち本体部３１と取付ベース３３とは、外壁１３において互いに上下となる位置に設けられている。そして、ケーブルホルダ３２は、取付ベース３３に対して容易に着脱できる構成となっている。例えば、車両充電に際して、充電ケーブル２５で一体に巻き付けられたケーブルホルダ３２が取付ベース３３に装着され、その車両充電が終了したら、充電ケーブル２５が巻き付けられた状態のままケーブルホルダ３２が取付ベース３３から取り外される。
【００２９】
なお本実施形態では、本体部３１が給電手段に相当し、ケーブルホルダ３２がケーブル保持部に相当し、ケーブルホルダ３２及び取付ベース３３が充電ケーブル保持器具に相当する。
【００３０】
外壁１３には、ユーザの作業性を考慮した所定の高さ位置に本体部３１が取り付けられるとともに、その本体部３１から下方に延びるようにして、外側に露出した状態で電力配線１５が取り付けられている。電力配線１５は、外壁１３の下端部付近に設けられた孔部１３ａを介して建物１０の内外に通されて設けられている。
【００３１】
例えば、住宅の購入後において、電気自動車やハイブリッド自動車の購入に伴い建物１０に給電設備１４が設置される場合がある。かかる場合、施工の都合などからすると、外壁１３に電力配線１５が露出した状態で取り付けられることが考えられる。
【００３２】
本体部３１は、充電ケーブル２５の建物側プラグ２６が接続される給電口３５ａを有する接続部３５と、給電の開始及び終了のユーザ操作を行うための操作部３６とを有している。これらは横並びで設けられている。なお、操作部３６は、開閉式の蓋部の奥側に操作スイッチが設けられて構成されている。
【００３３】
次いで、ケーブルホルダ３２について説明する。図４は、ケーブルホルダ３２と充電ケーブル２５とを簡略化して示す構成図である。充電ケーブル２５は、そのケーブル途中にコントロールボックス３７を有している。コントロールボックス３７は、自動車２０に設けられた電子制御装置（車載ＥＣＵ）との通信が可能な通信機能と、その通信結果を表示する表示機能とを有しており、車載ＥＣＵとの通信によって、充電中であること、充電完了したこと、漏電等の異常が生じていないこと等の各種情報を受け取り、それらを表示部３７ａに適宜表示する。本実施形態の構成では、充電ケーブル２５において建物側プラグ２６寄りの部位にコントロールボックス３７が設けられている。
【００３４】
ケーブルホルダ３２は、裏側ケース４１と表側ケース４２とを有しており、それらはヒンジにより互いに回動可能に連結されている。これら各ケース４１，４２は例えば合成樹脂材料により構成されている。裏側ケース４１及び表側ケース４２には、それら両者の間に充電ケーブル２５のコントロールボックス３７を収容するための収容部４１ａ，４２ａが形成されている。また、これら各ケース４１，４２には、本ケーブルホルダ３２の外周に充電ケーブル２５を巻き付けるための巻付け凹部４１ｂ，４２ｂが形成されている（図３には巻付け凹部を符号４５で示している）。収容部４１ａ，４２ａや巻付け凹部４１ｂ，４２ｂは、裏側ケース４１及び表側ケース４２のうち一方にのみ設けられていてもよい。
【００３５】
裏側ケース４１は、取付ベース３３に対して取り付けられる部位に相当し、取付ベース３３に対する引っ掛け用の引掛け孔４３が設けられている。また、表側ケース４２には、コントロールボックス３７の表示部３７ａを外側から視認可能にする表示窓４４が設けられている。
【００３６】
充電ケーブル２５及びケーブルホルダ３２は、基本状態として、ケーブルホルダ３２内にコントロールボックス３７が収容され、かつ充電ケーブル２５のケーブル部分が巻付け凹部４５に巻付けられた状態となっており、この状態のまま、自動車２０の収容部（トランクルーム）に収容されている。そして、この状態のまま、自動車２０から取り出されて取付ベース３３に装着される。
【００３７】
次いで、取付ベース３３について説明する。図５は、取付ベース３３の構成を示す斜視図である。取付ベース３３は、例えば板状の鋼鉄材料を用い、これを所定の形状に折り曲げ形成することで構成されている。
【００３８】
取付ベース３３は、ケーブルホルダ３２が装着されるホルダ装着部５１と、そのホルダ装着部５１からその背面側に延びる脚部５２とを有している。ホルダ装着部５１は、空きスペースＳを隔てて外壁１３に対向しており、これが対向部に相当する。ホルダ装着部５１には、反壁側に突出するようにして、ケーブルホルダ３２の引掛け孔４３に挿し入れられる引掛け部５３が設けられている。また、ホルダ装着部５１の両側の端縁部には、その板面から反壁側に起立するようにして起立部５４が設けられている。各起立部５４はケーブルホルダ３２を左右両側から支えるためのものであり、その間にケーブルホルダ３２が装着される。
【００３９】
脚部５２は、上側２カ所及び下側２カ所の計４カ所に設けられている。これらはいずれも同じ脚長さを有しており、ゆえにホルダ装着部５１と外壁面とは平行になっている。脚部５２は、外壁面に当接する壁当接部５５を有している。壁当接部５５は、脚部５２の先端部を各々内側に折り曲げることで形成されており、左右の壁当接部５５は互いに離間して設けられている。
【００４０】
取付ベース３３では、脚部５２を有することで、ホルダ装着部５１と外壁面との間に空きスペースＳが形成されており、この空きスペースＳに電力配線１５が配設されている。つまり、空きスペースＳが、電力配線１５（露出配線）の設置スペースとして利用されるようになっている。
【００４１】
取付ベース３３は、ネジ等の固定具により外壁１３に対して固定される構成となっており、壁当接部５５にはそれぞれネジ取付孔５６が設けられている。また、ホルダ装着部５１には、ネジ取付孔５６から反壁側に離れた位置に、ネジ締め付け時に工具を挿し入れるための通し孔５７が設けられている。
【００４２】
車両充電には、通常、１時間〜数時間程度の充電時間を要し、その間中、充電ケーブル２５は壁面上に装着されたままとなる。つまり、充電ケーブル２５は長時間にわたって屋外に放置された状態となる。そこで、盗難防止の観点から、ケーブルホルダ３２及び取付ベース３３には施錠手段が取り付けられるようになっている。ここでは、施錠手段として南京錠を用いる構成を説明する。
【００４３】
具体的には、ケーブルホルダ３２にはその側面部に鍵取付孔４６が設けられ（図２参照）、取付ベース３３には起立部５４に鍵取付孔５８が設けられている（図２，図５参照）。
これらそれぞれの鍵取付孔４６，５８は、取付ベース３３に対してケーブルホルダ３２が装着された状態では重なり合って互いに通じ、それら両方の孔４６，５８に南京錠が取り付けられることで、取付ベース３３からのケーブルホルダ３２の離脱が不可能になっている。なお、ケーブルホルダ３２において鍵取付孔４６が設けられる部位は、裏側ケース４１に対する表側ケース４２の開放を阻止するロック部４７（スライドロック部）である。そのため、南京錠が取り付けられることによりロック部４７のロック解除（ロック部４７のスライド移動）が不可能になると、ケーブルホルダ３２を開放しての充電ケーブル２５の持ち去りが不可能になっている。
【００４４】
ちなみに、取付ベース３３にケーブルホルダ３２が装着された状態では、ケーブルホルダ３２により取付ベース３３の通し孔５７が覆い隠される。そのため、工具による取付ベース３３の取り外しが困難になっており、この点も盗難防止に貢献していると言える。
【００４５】
給電設備１４の高さ方向の位置関係について説明しておく、図３に示すように、地上面から本体部３１までの高さ寸法はＭ１であり、例えばＭ１＝１メートルである。また、本体部３１からケーブルホルダ３２（又は取付ベース３３）の上端までの離間寸法はＭ２であり、例えばＭ２＝１５〜２０ｃｍである。さらに、ケーブルホルダ３２の高さ方向の縦寸法はＭ３であり、例えばＭ３＝４０ｃｍである。このうち、Ｍ１は、車両充電時におけるユーザの作業性を考慮して定められている。Ｍ２は、本体部３１に対するケーブルホルダ３２の離間距離をなるべく小さくしつつ、取付ベース３３にケーブルホルダ３２を装着した状態で建物側プラグ２６を接続する際の作業性を考慮して定められている。
【００４６】
なお、充電ケーブル２５は、コントロールボックス３７を有していること、充電効率を高めるには太径ケーブルが用いられることからその重量が大きい。そのため、充電ケーブル２５及びケーブルホルダ３２の一体物は数ｋｇ程度（例えば３〜５ｋｇ程度）になり、持ち運びの際にはユーザが重量感を覚えることも考えられ、ユーザにとってさほど高くない位置に給電設備１４が設けられることが望ましい。また、車両高さよりも低い位置に設けることで、給電設備１４を自動車２０により隠して目立ちにくくすることができ、防犯上の観点から望ましいと言える。
【００４７】
図６は、車両充電時における設備使用状態を説明するための図である。図６では、取付ベース３３の上にホルダ装着部５１の全てが隠れるようにしてケーブルホルダ３２が装着されている。そして、上下方向においてケーブルホルダ３２の真上に存在する接続部３５に、充電ケーブル２５の建物側プラグ２６が下側から接続されるようになっている。
【００４８】
車両充電時の一連の作業を簡単に説明する。まず、自動車２０が駐車スペースＰに駐車された後、ユーザが自動車内又は倉庫内といった収納場所から充電ケーブル２５及びケーブルホルダ３２を取り出す。このとき、充電ケーブル２５はケーブルホルダ３２に巻き付けられた状態であることが想定される。そして、ユーザは、取付ベース３３にケーブルホルダ３２を引掛け保持させた後、充電ケーブル２５の建物側プラグ２６を給電口３５ａに接続する。その後、ケーブルホルダ３２から充電ケーブル２５を必要分だけほどき、車両側プラグ２７を自動車２０の充電インレット２２に接続する。ここで、ケーブルホルダ３２は、取付ベース３３により外壁面から離間した位置に取り付けられることから、取付ベース３３への取り付け時にホルダ自体が外壁面に当たってしまったり、充電ケーブル２５がほどかれる際に外壁面に当たってしまったりするといった不都合が生じにくくなっている。
【００４９】
この状態で、ユーザが操作部３６を操作することにより車両充電が開始される。なおこのとき、コントロールボックス３７と車載ＥＣＵとの通信の結果に応じて充電開始が許可される。車両充電が開始された後は、自動車２０や充電ケーブル２５はそのまま放置される。そして、車両充電が完了したら、ユーザは充電開始時と逆の作業を行う。つまり、充電ケーブル２５の車両側プラグ２７を自動車２０の充電インレット２２から取り外し、ケーブル部分をケーブルホルダ３２に巻き付ける。そして、ケーブルホルダ３２を持ち上げることで取付ベース３３から取り外し、元の収納場所に戻す。ここでの作業でもやはり、充電ケーブル２５の巻付け時に充電ケーブル２５が外壁面に当たってしまったり、取付ベース３３への取り外し時にホルダ自体が外壁面に当たってしまったりするといった不都合が生じにくくなっている。
【００５０】
上記のとおり取付ベース３３は４つの脚部５２を有しており、これらの脚部５２により、電力配線１５との重複位置であっても取付ベース３３の取り付けを可能にしているが、脚部５２が四方に分散して設けられることを考えると、折り曲げた状態で設置される電力配線１５についてもそれに重複する位置での取付ベース３３の取り付けが可能となっている。つまり、図７に示すように、電力配線１５が折り曲げて設けられる場合に、上側２つの脚部５２の間に電力配線１５を通すとともに、右側２つの脚部５２の間に電力配線１５を通すようすることが可能になっている。
【００５１】
以上詳述した本実施形態によれば、以下の優れた効果が得られる。
【００５２】
上記構成では、ケーブルホルダ３２よりも壁部側に、取付ベース３３によってケーブルホルダ３２と外壁１３との間に空きスペースＳが形成されているため、その空きスペースＳを、外壁面上に設けられた電力配線１５の設置スペースとして利用できる。そのため、外壁１３に車両充電用の給電機器を後付けする場合（建物購入後に後付けする場合）に、電力配線１５が壁面上に露出して設けられるとしても、その露出配線との干渉（電力配線１５が邪魔になること）を避けつつ、給電機器の設置が可能となる。したがって、建物１０の外壁１３に対する取り付けを好適に実施できる充電ケーブル保持器具を実現できる。
【００５３】
また、上記構成によれば、以下の付随効果を期待できる。つまり、取付ベース３３によって、ケーブルホルダ３２の巻付け位置が壁面から離れた位置となる。そのため、ケーブルホルダ３２から充電ケーブル２５を取り外したりケーブルホルダ３２に対して充電ケーブル２５を巻き付けたりする場合に、充電ケーブル２５が壁面に当たったりすることを抑制でき、ユーザにとって作業のしやすい構成を実現できる。したがって、充電ケーブル２５の使い勝手が良くなる充電ケーブル保持器具を実現できる。
【００５４】
取付ベース３３は、複数の脚部５２を有し、それら各脚部５２の間のスペースを空きスペースＳとして、電力配線１５の設置に利用できる。この場合、ケーブルホルダ３２は、脚部５２により外壁面に対して浮いた状態で取り付けられることになり、例えば外壁面を伝って雨水等が流下する場合に、その雨水（外壁面の汚れと一緒に流れる雨水）によりケーブルホルダ３２や取付ベース３３が汚れるといった不都合を抑制できる。
【００５５】
複数の脚部５２を、外壁１３の面方向における左右及び上下にそれぞれ互いに離間して設けたため、空きスペースＳに電力配線１５が設けられる場合に、その電力配線１５を左右の脚部５２の間、及び上下の脚部５２の間のいずれにも通すことができる。これにより、電力配線１５が一直線に設けられる以外に、途中で折り曲げられて設けられる場合にも、その電力配線１５に重なるようにして充電ケーブル保持器具を取り付けることができる。
【００５６】
上記構成では、充電ケーブル２５が建物１０側の給電設備１４から接続解除できる構成になっているため、充電ケーブル２５の持ち運びが可能であり、例えば出先での車両充電が可能になっている。また、上記構成では、ケーブルホルダ３２が、ケーブル巻付け状態のまま取付ベース３３から離脱可能であり、充電ケーブル２５をコンパクトにまとめた状態での持ち運びが可能になっている。この場合特に、取付ベース３３によってケーブルホルダ３２が外壁面から離間されており、ケーブルホルダ３２を取付ベース３３に取り付けたり取付ベース３３から取り外したりする場合に、ケーブルホルダ３２が外壁面に当たったりすることを抑制でき、ユーザにとって使い勝手の良い構成を実現できる。
【００５７】
建物１０の外壁１３において、給電設備１４の本体部３１と電力配線１５とを鉛直方向の上下に配置し、本体部３１の下方において電力配線１５に重複する位置に充電ケーブル保持器具（ケーブルホルダ３２及び取付ベース３３）を設ける構成とした。この場合、本体部３１の下方に、電力配線１５とケーブルホルダ３２とがそれぞれ設けられることになり、雨水等に対する防水性を確保する上で好適な構成となっている。つまり、本体部３１に対して電力配線１５や充電ケーブル２５が接続される場合には、その接続部分における浸水の懸念（壁面を伝っての雨水浸入の懸念）が生じるが、上記構成によれば、本体部３１の下面側に電力配線１５や充電ケーブル２５が接続されるため、雨水浸入が生じにくい構成を実現できる。
【００５８】
［他の実施形態］
本発明は上記実施形態の記載内容に限定されず、例えば次のように実施されてもよい。
【００５９】
・取付ベース３３を図８のように構成してもよい。図８の（ａ）では、ホルダ装着部５１に左右一対の脚部５２が設けられている。図８の（ｂ）では、ホルダ装着部５１の左右の側端部ではなく、上端部及び下端部に沿って脚部５２が折り曲げ形成されている。また、図８の（ｃ）では、ホルダ装着部５１の背面側に円柱状（角柱状、棒状でも可）の脚部５２が４カ所に設けられている。この脚部５２は接着やネジ締め等により固定されていてもよい。いずれにしても、各脚部５２は互いに離間して設けられ、各脚部５２の間のスペースに電力配線１５を通すことが可能となっている。
【００６０】
その他、取付ベース３３において、左右に２つ及び上下に２つの脚部５２を設ける以外に、左右に３つ以上、又は上下に３つ以上の脚部５２を設けることも可能である。
【００６１】
・上記実施形態では、取付ベース３３の脚部５２において壁当接部５５を各々内側に折り曲げ形成したが（図５参照）、これを変更し、壁当接部５５を各々外側に折り曲げ形成する構成であってもよい。
【００６２】
・上記実施形態では、取付ベース３３のホルダ装着部５１を外壁面に平行に設けたが、これを変更し、取付ベース３３のホルダ装着部５１を外壁面に対して斜めになるように設けてもよい。より具体的には、図９の（ａ）に示すように、上側の脚部５２ａの長さを下側の脚部５２ｂの長さよりも小さくする。これにより、ホルダ装着部５１は斜め上方を向くように傾き、ひいてはホルダ装着部５１の上に装着されるケーブルホルダ３２も同様の向きに傾くようになっている。この場合、ケーブルホルダ３２が例えば大人のユーザの腰付近の高さ（腰〜胸の高さ）に設置されることを考えると、ケーブルホルダ３２の装着、充電ケーブル２５の巻付け及びほどき、表示部３７ａの目視確認などの作業を行いやすくなると考えられる。
【００６３】
又は、図９の（ｂ）に示すように、上側の脚部５２ａの長さを下側の脚部５２ｂの長さよりも大きくしてもよい。これにより、ホルダ装着部５１は斜め下方を向くように傾き、ひいてはホルダ装着部５１の上に装着されるケーブルホルダ３２も同様の向きに傾くようになっている。
【００６４】
・取付ベース３３の背後側の空きスペースＳを、電力配線１５を設置すること以外に用いることも可能である。例えば、電力供給用以外の電気配線を、空きスペースＳに設置することが可能である。また、ケーブルホルダ３２の背面側に、その背面から後方に延びるフック（引掛け部）が設けられている構成において、空きスペースＳをフックの引掛けスペースとして用いることが考えられる。
【００６５】
・ケーブルホルダ３２を外壁１３に固定したままにする構成であってもよい。これは、取付ベース３３にケーブルホルダ３２が一体化された構成である。本構成では、基本状態として、外壁１３の外側に常時、充電ケーブル２５が巻付けられたままになっており、車両充電時に、ケーブルホルダ３２から充電ケーブル２５の巻付けがほどかれるようになっている。本構成においても、上記同様に、取付ベース（ケーブルホルダ３２及び取付ベース３３の一体物）に脚部を設け、ケーブル保持部と外壁との間に空きスペースＳを形成する。これにより、上記同様、建物１０の外壁１３に対する取り付けを好適に実施できる充電ケーブル保持器具を実現できる。
【００６６】
・ケーブル保持部としてのケーブルホルダ３２は、少なくともコントロールボックス３７を保持する機能を有していれば、充電ケーブル２５の巻付け機能を有していなくてもよい。具体的には、ケーブルホルダ３２にはコントロールボックス３７を保持するボックス保持部（図４の収容部４１ａ，４２ａ）が設けられ、充電ケーブル２５（詳しくはコントロールボックス３７から車両側プラグ２７までのケーブル部）はケーブルホルダ３２以外の部材に巻き付けられる、又は巻き付けられずに使用されるといった構成であってもよい。その他に、取付ベース３３においてコントロールボックス３７が保持される構成であってもよい。
【００６７】
・上記実施形態では、板状の鋼鉄材料を用いて取付ベース３３を構成したが、これを変更し、合成樹脂材料を用いて取付ベース３３を構成してもよい。
【符号の説明】
【００６８】
１０…建物、１２…分電盤（配電手段）、１３…外壁（壁部）、１４…給電設備、１５…電力配線（電気配線）、２１…バッテリ、２５…充電ケーブル、３１…本体部（給電手段）、３２…ケーブルホルダ（ケーブル保持部）、３３…取付ベース（台座部）、４５…巻付け凹部（巻付け部）、５１…ホルダ装着部（対向部）、５２…脚部、Ｐ…駐車スペース、Ｓ…空きスペース。
【図１】
2014150629.tif 000003
【図２】
2014150629.tif 000004
【図３】
2014150629.tif 000005
【図４】
2014150629.tif 000006
【図５】
2014150629.tif 000007
【図６】
2014150629.tif 000008
【図７】
2014150629.tif 000009
【図８】
2014150629.tif 000010
【図９】
2014150629.tif 000011